(57)【要約】【課題】マスクを装着した際の肌荒れを低減させるマスク補助部材を提供する。【解決手段】マスク補助部材１は、本体部１０と、開口１１と、固定機構１２とを備える。本体部１０は、マスク９００の装着者側面９０１に配置されるシート状の部材である。本体部１０は、装着者に肌荒れを起こさせないような装着者の肌に適応する材質により形成されることが好ましい。本体部１０の外縁には、外側拡がり部１３が配置されている。外側拡がり部１３は、マスク９００の装着者側面に本体部１０を配置した際に、マスク９００の外縁９０２より外側に拡がり得る部分である。開口１１は、マスク９００の装着者の口又は鼻に相当する箇所に対応する本体部１０の箇所に形成されるものである。固定機構１２は、本体部１０とマスク９００とを固定するものである。【選択図】  図１
2017089067.tif 000002
【特許請求の範囲】
【請求項１】
マスクに対して該マスクの装着者側に取り付け可能なマスク補助部材であって、
前記マスクの装着者側面に配置されるシート状の本体部と、
前記本体部における、前記マスクの装着者の口又は鼻に対応する箇所に形成される開口と、
前記本体部を該マスクの装着者側に固定する、又は、前記本体部を装着者の耳に固定する固定機構と、
を備えたことを特徴とする、
マスク補助部材。
【請求項２】
前記マスクの装着者側に前記本体部を配置した際に、前記マスクの外縁から外側に拡がり得る外側拡がり部を有することを特徴とする、
請求項１に記載のマスク補助部材。
【請求項３】
前記外側拡がり部は、前記本体部の上側縁から更に上方側に拡がる上側拡がり片を有することを特徴とする、
請求項２に記載のマスク補助部材。
【請求項４】
前記上側拡がり片は、前記本体部の前記上側縁において略台形形状に広がることを特徴とする、
請求項３に記載のマスク補助部材。
【請求項５】
前記外側拡がり部の少なくとも一部を反装着者側に折り返して、前記外側拡がり部と前記本体部とで前記マスクを挟み込むことを特徴とする、
請求項２〜４のいずれかに記載のマスク補助部材。
【請求項６】
前記固定機構は、前記外側拡がり部に設けられた互いに係合可能な１対の係合部材を有して構成され、前記１対の係合部材を係合させることにより、前記マスクと前記本体部とを固定させることを特徴とする、
請求項２〜５のいずれかに記載のマスク補助部材。
【請求項７】
前記固定機構は、前記マスクの上側縁又は該マスクの上側紐部と係合するようになっており、
前記本体部の下側縁近傍は、前記マスクの下側縁近傍に対して相対移動自在となっていることを特徴とする、
請求項１〜６のいずれかに記載のマスク補助部材。
【請求項８】
前記外側拡がり部は、前記本体部の下側縁から更に下方側に拡がる下側拡がり片を有し、
前記下側拡がり片は、
前記本体部の下側縁から更に下方に延びる下側シート部を、上側に折り返すことで複層構造となっており、
前記下側シートを上側に折り返した際の該下側シート部の上側縁における、前記本体部の両端から所定距離を除く部分が、前記本体部と接合されることを特徴とする、
請求項２〜７のいずれかに記載のマスク補助部材。
【請求項９】
少なくとも前記本体部は、１枚のシートを折り畳んで形成されることを特徴とする、
請求項１〜８のいずれかに記載のマスク補助部材。
【請求項１０】
少なくとも前記本体部は、１枚の前記シートの縁を前記シートの内部に包含されるように折り畳んで形成されることで、前記縁が非露出状態になることを特徴とする、
請求項９に記載のマスク補助部材。
【請求項１１】
自身の外縁に前記シートの縁が前記シートの内部に内包された状態で配置されることを特徴とする、
請求項１０のいずれかに記載のマスク補助部材。
【請求項１２】
帯状シートを、帯長手方向が互いに直角となるように少なくとも３回折り畳むことで該帯状シートを環状にし、該環状にした前記帯状シートの内周を前記開口とすることを特徴とする、
請求項１〜１１のいずれかに記載のマスク補助部材。
【請求項１３】
前記本体部に、上下方向に伸縮自在のプリーツが設けられることを特徴とする、
請求項１〜１２のいずれかに記載のマスク補助部材。
【請求項１４】
少なくとも前記本体部の材質は、ガーゼ、ウール及びカシミアのうち少なくとも１つであることを特徴とする、
請求項１〜１３のいずれかに記載のマスク補助部材。
【請求項１５】
請求項１〜１４のいずれかに記載のマスク補助部材と、
前記マスク補助部材に設置される前記マスクと、を有することを特徴とする、
マスクセット。
【請求項１６】
前記マスクの中央部近傍が、反装着者側に凸となることで、
前記マスクと、前記マスク補助部材の前記開口部の間に、隙間が形成されることを特徴とする、
請求項１５に記載のマスクセット。
【請求項１７】
マスクに対して該マスクの装着者側に取り付け可能なマスク補助部材の製造方法であって、
帯状シートを用い、
前記帯状シートの長手方向中心線に向かって前記帯状シートの両側縁を折り畳むことで第一帯状前駆体を形成し、
長手方向中心線に沿って前記第一帯状前駆体の折り畳むことにより、前記帯状シートの前記両側縁が内包された第二前駆体を形成し、
前記第二前駆体を、長手方向が互いに直角となるように少なくとも３回折り畳むことにより環状体を形成し、
前記環状体の中央の開口を、前記マスクの装着者の口又は鼻の通気口とすることを特徴とする、
マスク補助部材の製造方法。
【請求項１８】
前記帯状シートの外縁が前記帯状シートに内包された状態で前記マスク補助部材の外縁に配置されるよう折り畳まれたことを特徴とする、
請求項１７に記載のマスク補助部材の製造方法。
【発明の詳細な説明】
【技術分野】
【０００１】
本発明は、マスクの機能を向上させるマスク補助部材、及び、そのマスク補助部材に取り付けたマスクを有するマスクセット等に関する。
【背景技術】
【０００２】
近年、不織布で構成された簡易マスクが使い捨てマスクとして一般的に浸透している。不織布は、繊維を熱・機械的または化学的な作用によって接着または絡み合わせる事で布状にしたものであり、製造段階で、その厚みや目の細かさを自由にできる。このため、不織布を用いた不織布マスクは、フィルタ性能を高めることができる。
【０００３】
また例えば、フィルタ性能を一層高めることを目的として、特許文献１には、表層、フィルタ層、および口元層の３層構成とされた不織布マスクが提案されている。口元層は、着用時に着用者の口元側に位置し、着用者の肌に直接触れる部分であるため、接触によって肌荒れを起こさないように不織布等が設計されている。一般的にはサーマルボンド不織布、パルプとポリエステル繊維とを混抄した混抄紙、およびレーヨン紙などが使用されている。
【先行技術文献】
【特許文献】
【０００４】
【特許文献１】特開２０１４−１２８３８７号公報
【発明の概要】
【発明が解決しようとする課題】
【０００５】
しかしながら、不織布マスクは繊維が絡み合ってできているので、その分、肌にあたったときのダメージがガーゼマスクに比べると大きく、本質的に肌荒れの要因となっている。例えば、サーマルボンド不織布の場合、低融点の熱融着繊維を混合したフリース材を、熱ロールの間を通して熱圧着する構造であるため、化学材料が用いられることが一般的であり、化学材料に敏感な肌の持ち主にとっては不向きである。
【０００６】
本発明は、斯かる実情に鑑み、マスクを装着した際の肌荒れを低減させるマスク補助部材、及び、そのマスク補助部材に取り付けたマスク等を提供しようとすることを目的とするものである。
【課題を解決するための手段】
【０００７】
本発明は、上記課題を解決するためになされたものであり、マスクに対して該マスクの装着者側に取り付け可能なマスク補助部材であって、前記マスクの装着者側面に配置されるシート状の本体部と、前記本体部における、前記マスクの装着者の口又は鼻に対応する箇所に形成される開口と、前記本体部を該マスクの装着者側に固定する、又は、前記本体部を装着者の耳に固定する固定機構と、を備えたことを特徴とする、マスク補助部材である。
【０００８】
また、本発明のマスク補助部材において、前記マスクの装着者側に前記本体部を配置した際に、前記マスクの外縁から外側に拡がり得る外側拡がり部を有することを特徴とする。
【０００９】
また、本発明のマスク補助部材において、前記外側拡がり部は、前記本体部の上側縁から更に上方側に拡がる上側拡がり片を有することを特徴とする。
【００１０】
また、本発明のマスク補助部材において、前記上側拡がり片は、前記本体部の前記上側縁において略台形形状に広がることを特徴とする。
【００１１】
また、本発明のマスク補助部材において、前記外側拡がり部の少なくとも一部を反装着者側に折り返して、前記外側拡がり部と前記本体部とで前記マスクを挟み込むことを特徴とする。
【００１２】
また、本発明のマスク補助部材において、前記固定機構は、前記外側拡がり部に設けられた互いに係合可能な１対の係合部材を有して構成され、前記１対の係合部材を係合させることにより、前記マスクと前記本体部とを固定させることを特徴とする。
【００１３】
また、本発明のマスク補助部材において、前記固定機構は、前記マスクの上側縁又は該マスクの上側紐部と係合するようになっており、前記本体部の下側縁近傍は、前記マスクの下側縁近傍に対して相対移動自在となっていることを特徴とする。
【００１４】
また、本発明のマスク補助部材において、前記外側拡がり部は、前記本体部の下側縁から更に下方側に拡がる下側拡がり片を有し、前記下側拡がり片は、前記本体部の下側縁から更に下方に延びる下側シート部を、上側に折り返すことで複層構造となっており、前記下側シートを上側に折り返した際の該下側シート部の上側縁における、前記本体部の両端から所定距離を除く部分が、前記本体部と接合されることを特徴とする。
【００１５】
また、本発明のマスク補助部材において、少なくとも前記本体部は、１枚のシートを折り畳んで形成されることを特徴とする。
【００１６】
また、本発明のマスク補助部材において、少なくとも前記本体部は、１枚の前記シートの縁を前記シートの内部に包含されるように折り畳んで形成されることで、前記縁が非露出状態になることを特徴とする。
【００１７】
また、本発明のマスク補助部材において、自身の外縁に上記シートの縁が上記シートの内部に内包された状態で配置されることを特徴とする。
【００１８】
また、本発明のマスク補助部材において、帯状シートを、帯長手方向が互いに直角となるように少なくとも３回折り畳むことで該帯状シートを環状にし、該環状にした前記帯状シートの内周を前記開口とすることを特徴とする。
【００１９】
また、本発明のマスク補助部材において、前記本体部に、上下方向に伸縮自在のプリーツが設けられることを特徴とする。
【００２０】
また、本発明のマスク補助部材において、少なくとも前記本体部の材質は、ガーゼ、ウール及びカシミアのうち少なくとも１つであることを特徴とする。
【００２１】
本発明は、上記課題を解決するためになされたものであり、上記のいずれかに記載のマスク補助部材と、前記マスク補助部材に設置される前記マスクと、を有することを特徴とする、マスクセットである。
【００２２】
また、本発明のマスクセットにおいて、前記マスクの中央部近傍が、反装着者側に凸となることで、前記マスクと、前記マスク補助部材の前記開口部の間に、隙間が形成されることを特徴とする。
【００２３】
本発明は、上記課題を解決するためになされたものであり、マスクに対して該マスクの装着者側に取り付け可能なマスク補助部材の製造方法であって、帯状シートを用い、前記帯状シートの長手方向中心線に向かって前記帯状シートの両側縁を折り畳むことで第一帯状前駆体を形成し、長手方向中心線に沿って前記第一帯状前駆体の折り畳むことにより、前記帯状シートの前記両側縁が内包された第二前駆体を形成し、前記第二前駆体を、長手方向が互いに直角となるように少なくとも３回折り畳むことにより環状体を形成し、前記環状体の中央の開口を、前記マスクの装着者の口又は鼻の通気口とすることを特徴とする、マスク補助部材の製造方法である。
【００２４】
また、本発明のマスク補助部材の製造方法において、上記帯状シートの外縁が上記帯状シートに内包された状態で上記マスク補助部材の外縁に配置されるよう折り畳まれたことを特徴とする。
【発明の効果】
【００２５】
本発明マスク補助部材等によれば、マスクを装着した際の肌荒れを低減させるという優れた効果を奏し得る。
【図面の簡単な説明】
【００２６】
【図１】本発明の実施の形態におけるマスク補助部材１及び該マスク補助部材１にセットされるマスク９００を示す図である。
【図２】マスク９００をマスク補助部材１に取り付けてマスクセットとする際の様子を示す図である。
【図３】本発明の別の実施の形態におけるマスク補助部材２の製造工程を示す図である。
【図４】本発明の別の実施の形態におけるマスク補助部材２の製造工程を示す図である。
【図５】本発明の別の実施の形態におけるマスク補助部材３の製造工程を示す図である。
【図６】マスク補助部材２を取り付けたマスク９００を人９２０が装着した様子を示す図である。
【図７】本発明の別の実施の形態におけるマスク補助部材４を示す図である。
【図８】本発明の別の実施の形態におけるマスク補助部材５を示す図である。
【図９】マスク補助部材５を取り付けたマスク９００を人９２０が装着する様子を示す図である。
【図１０】本発明の別の実施の形態におけるマスク補助部材を示す正面図及び側面図である。
【発明を実施するための形態】
【００２７】
次に本発明の実施の形態について図面を参照して詳細に説明する。なお、説明の便宜上、マスクの装着者側の面を「裏面」、マスクの反装着者側の面を「表面」、マスクを正面から視た場合に外縁から外側に拡がる方向を「外側」、マスクを正面から視た場合に外縁から中央側に向かう方向を「内側」と定義する。
【００２８】
＜マスク補助部材１＞
図１は、本発明の実施の形態におけるマスク補助部材１を示す図である。マスク補助部材１は、マスク９００の装着者側に取り付け可能な補助部材である。なお、マスク９００の装着者側とは、装着者がマスク９００を装着した際に、マスク９００の直接肌に接触する側となる。マスク補助部材１は、例えば、本体部１０と、開口１１と、固定機構１２とを備える。
【００２９】
本体部１０は、マスク９００の裏面９０１に配置されるシート状の部材である。マスク９００をマスク補助部材１に取り付ける際に、本体部１０は、マスク９００の裏面９０１でマスク９００と重なるように配置される。図１において本体部１０は、略長方形形状をしており、マスク９００の形状・サイズと略同様とすることが想定される。
【００３０】
なお、本体部１０は、マスク９００の形状と同様の形状に限定されるものではなく、様々な形状・態様が想定される。本体部１０は、マスク９００から装着者の肌を保護するという一面を有している。その観点からすると、本体部１０は、マスク９００を装着した際に、少なくともマスク９００と肌が接触する所定範囲を覆う態様であればよい。したがって、本体部１０は、マスク装着者の顔の上記所定範囲の形状に沿った形状とすることが想定される。その所定範囲も、マスク９００から装着者の肌を保護するという点から様々な範囲が想定され、そのようなものも本発明に含まれる。
【００３１】
本体部１０は、装着者に肌荒れを起こさせないような装着者の肌に適応する材質により形成されることが好ましい。そのような材質として、例えば、ガーゼ等の肌荒れを起こさせにくい繊維材質が一例として挙げられる。また、その他の上記材質として、例えば、植物繊維ならリネン、コットン等、獣毛ならカシミア、ウール、アルパカ、ラシャ、アンゴラ、モヘア、ラクダ等、その他にシルク等が一例として挙げられる。しかしながら、本体部１０を構成する材質は、これに限るものではなく、アレルギー等の個別事情も考慮して様々な公知な材質を選択することが可能である。さらには、本体部１０は、上記材質を複数用いて形成させるようにしてもよい。なお、本体部１０のうち肌に接触しない部分は、上記説明したような材質でなくてもよい。
【００３２】
図１に示すように、本体部１０の外縁には、外側拡がり部１３が連続するようにして配置される。外側拡がり部１３は、マスク９００の裏面９０１に本体部１０を配置した際に、マスク９００の外縁９０２より外側に拡がり得る部分（はみ出し得る部分）である。
【００３３】
外側拡がり部１３は、図１に示すように、横側拡がり片１４と、上側拡がり片１５Ａと、下側拡がり片１５Ｂにより構成される。外側拡がり部１３は、本体部１０の外縁９０２を一周するシート状の環状部材である。なお、外側拡がり部１３は、本体部１０の外縁９０２を連続して一周する態様でなくてもよい。例えば、外側拡がり部１３は、本体部１０の外縁９０２の周囲を不連続に一周する態様であってもよいし、本体部１０の外縁９０２の一部のみから拡がった環状でない態様であってもよい。
【００３４】
上側拡がり片１５Ａは、本体部１０の上側縁１６から更に上方側に連続して拡がる部材である。図１において上側拡がり片１５Ａは、台形形状をした台形部材で構成される。上側拡がり片１５Ａの形状は、以上に限定されるものではなく、その他の形状であってもよい。
【００３５】
なお、本体部１０、外側拡がり部１３は、連続する素材により一体となって形成される態様であってもよいし、別々の独立部材としてそれぞれ形成されたものを互いに繋げて形成される態様であってもよい。
【００３６】
開口１１は、本体部１０において、マスク９００の装着者の口又は鼻に相当する箇所に形成されるものである。図１において開口１１は、本体部１０の略中央部分に設けられている。開口１１の形状は、矩形、多角形、円形（楕円形、正円形）など様々にできる。開口１１によって、装着者の呼気が円滑に通過できる。
【００３７】
固定機構１２は、本体部１０とマスク９００とを固定するものである。また、固定機構１２は、本体部１０とマスク９００の装着者の耳とを固定するものであってもよいが、この態様については図７を用いて後述する。マスク補助部材１において固定機構１２は、例えば、上側拡がり片１５Ａと、２セットとなる１対のボタン部材１７、１８とにより構成される。１対のボタン部材１７、１８は、互いに係合可能である。ボタン部材１７は、一対の横側拡がり片１４の表面側の上方付近にそれぞれ１つずつ設けられている。また、ボタン部材１８は、（折り返されていない状態の）上側拡がり片１５Ａの裏面の横方向両端にそれぞれ１つずつ設けられている。
【００３８】
図２には、固定機構１２を用いてマスク９００をマスク補助部材１に取り付ける際の様子を示す。マスク９００をマスク補助部材１に取り付ける場合、図２（ａ）に示すように、まず、マスク９００の装着者側部分を本体部１０に載せる。その際、マスク９００の裏面が本体部１０と重なるようにマスク９００を配置させる。
【００３９】
マスク９００を本体部１０に載せた後に、図２（ａ）に示すように、矢印Ａに従って、上側拡がり片１５Ａを、その底辺１５ｘに沿って本体部１０側（表面側）に折り返す。これにより、マスク９００の上方部分を本体部１０と上側拡がり片１５Ａとで挟み込んだ状態になる。そして、図２（ａ）の矢印Ｂに示すように、上側拡がり片１５Ａを折り返すことで表面側に露出したボタン部材１８と、横側拡がり片１４の表面にあるボタン部材１７を重なるように移動させて係合させる。その結果、マスク９００は、図２（ｂ）に示すように、マスク９００の上方部分が本体部１０と上側拡がり片１５Ａとで挟み込まれた状態で固定される。
【００４０】
なお、上記において１対のボタン部材１７、１８を用いたが、固定機構１２を構成する部材はこれに限定されない。例えば、１対のボタン部材１７、１８の代わりに１対のマジックテープ（登録商標）を用いてもよいし、その他の係合部材、固定部材を用いてもよい。また、上記において上側拡がり片１５Ａと本体部１０とでマスク９００を挟み込んで固定する態様を説明したが、固定態様はこれに限定されるものではない。マスク９００の固定態様は、例えば、横側拡がり片１４や下側拡がり片１５Ｂのうちの全部又は一部と本体部１０とでマスク９００を挟み込んで固定する態様であってもよい。さらには、マスク９００の固定態様は、マスク９００と本体部１０との外縁近傍同士をボタン部材、マジックテープ（登録商標）等の係合部材で固定する態様、その他の公知の全ての取り外し可能な外縁同士の固定態様であってもよい。固定機構は、マスク９００の耳かけ用の紐（特に上側の紐）と係合することも可能である。
【００４１】
図２（ｂ）のマスクセットに示すように、マスク９００をマスク補助部材１に取り付けた場合、外側拡がり部１３は、マスク９００から外側にはみ出す。これにより、マスク９００が、装着者の肌に直接触れることを抑制する。同時に、外側拡がり部１３にデザイン性のある模様を施せば、デザイン性のない普通の一般的なマスク９００が、外から見て全体としてファッション性の高いマスクに変わるという効果がある。外側拡がり部１３を設ければ、上記のようにマスク９００と一体となってデザイン性を高めることができる。
【００４２】
また、マスク９００をマスク補助部材１に取り付けた場合、開口１１があるため、マスク９００の本来の呼吸機能を阻害しない。更に、開口１１の周囲に対応するマスク装着者の肌部分は、不織布等のマスク９００に接触しづらいため、肌荒れを低減させる。また、マスク９００をマスク補助部材１に取り付けた場合において、マスク９００と開口１１の間に表裏方向の隙間を形成すれば、開口１１を介して空気を装着者が吸い込む際、マスク９００の表面積全体を、フィルタ面として有効活用できると同時に、マスク９００の通気量が増大して呼吸をし易くなるという効果もある。
【００４３】
なお、例えばマスク９００には、プリーツが設けられていることが多いため、プリーツを上下方向に伸ばすと、マスク９００の表面積を拡大させることができる。なお、プリーツとは、マスクに立体感を出すための襞、折り目のことを指す。そのようにしてマスク９００を立体的に形成させて表面積を拡大させれば、マスク９００とマスク補助部材１との間に面積差に起因する空間（隙間）を更に拡張させることができる。
【００４４】
また、マスク補助部材１は、マスク９００に対して容易に着脱自在となっている。このため、使い捨てマスク９００を毎日容易に交換することができるため、衛生的である。一方、マスク補助部材１は、開口１１を介して呼気が通過すること構造であることから、本体部１０は比較的衛生状態に維持される。更にマスク補助部材１を容易に洗濯可能な材質で形成させれば、マスク補助部材１も清潔に保つことができる。
【００４５】
＜マスク補助部材２＞
図３は、本発明の別の実施の形態におけるマスク補助部材２の製造過程の一例を示す図である。図４は、本発明の別の実施の形態におけるマスク補助部材２を示す図である。図３においてマスク補助部材２は、１枚の長方形状の帯状シート２００により形成される。なお、帯状シート２００の材質は、例えば、ガーゼ等の装着者に肌荒れを起こさせないような装着者の肌に適応する材質が好ましい。また、図３における帯状シート２００は、マスク補助部材２の製造過程のための簡略図であって、縦横方向の採寸は正確ではない。
【００４６】
図３（ａ）には、製造過程における帯状シート２００の折り目を模式的に示す。なお、点線は山折り線、一点鎖線は谷折り線を示す。まず、図３（ａ）に示すように、縁２０１ａ、２０１ｂが長手方向の中心線２０３と一致するよう、帯状シート２００の中心線２０３と平行な長手方向の谷折り線２０４、２０５に沿って、中心線２０３に向かって帯状シート２００を折り畳む。上記のように帯状シート２００を折り畳むと、帯状シート２００は、図３（ｂ）に示すような１段折りされた第一帯状前駆体２０６になる。第一帯状前駆体２０６によれば、帯状シート２００の縁２０１ａ、２０１ｂを内側に内包させて隠すことができるため、ガーゼ等の縁にほつれがでやすい繊維を採用する場合、特に好ましい。
【００４７】
次に、図３（ｂ）に示す楕円領域Ｂの部分に注目する。図３（ｃ）〜図３（ｅ）は、楕円領域Ｂ部分を立体的に折り畳む状態を示している。第一帯状前駆体２０６のうち端部の位置する帯状シート片２０６ａのみを中心線２０３で折ることで、第二前駆片２２０ａを形成する。それと同時に、図３（ｃ）、図３（ｄ）に示すように、三角形シート片２０７ａ、２０８ａを、中心線２０３に対して４５°に傾斜する谷折り線２０９ａ、２１０ａに沿って、中心線２０３側に折り畳む。このようにすると、図３（ｃ）、図３（ｄ）に示すように、第二前駆片２２０ａが、第一帯状前駆体２０６の平面に対して直角に起立する。起立した第二前駆片２２０ａを、中心線２０３に沿って矢印Ｄ方向へ直角に折り畳み、第一帯状前駆体２０６と同一平面上に配置させる。そして、残りの第一帯状前駆体２０６を中心線２０３に沿って矢印Ｅ方向へ折り畳むと、この部分も第二前駆片２２０ｂとなり、一対の第二前駆片２２０ａ、２２０ｂが、中心線２０３が互いに直角の関係となり、図３（ｅ）に示すように、Ｌ型態様の第二前駆体２２０を得ることができる。図３（ｂ）に示す楕円領域Ｆ、Ｇについても上記折り方に習って第一帯状前駆体２０６を折り畳む。また、図３（ｂ）に示す第一帯状前駆体２０６の左端部の三角形シート片２０７ｂ、２０８ｂを、中心線２０３に対して４５°に傾斜する谷折り線２０９ｂ、２１０ｂに沿って、中心線２０３側に折り畳む。結果、図４（ａ）に示すように、第二前駆体２２０が、少なくとも三箇所で直角方向に折り畳まれて、環状体２１３が完成する（なお、本図では、折り畳まれた第二前駆体２２０の一部を再度開いた状態を図示している）。
【００４８】
次に、図４を用いてマスク補助部材２について説明する。以上のような折り畳み動作を行うと同時に、図３（ｃ）で示した、折り畳まれた第二前駆片２２０ａの一方のみを開くと、図４（ａ）に示すように、中央に開口２１２を有する８角形状の環状体２１３が得られる。環状体２１３の上方の上側台形シート部２１７が、上側拡がり片に相当し、下方の下側台形シート部２１４が下側拡がり片に相当し、それらの間が本体部に相当する。下側台形シート部２１４を、水平な谷折り目２１５に沿って、表面側且つ内側（開口２１２側）に折り畳む。結果、下側拡がり片は複層（二重）構造となる。なお、谷折り目２１５は、下側台形シート部２１４の底辺２１５ｘ（下側台形シート部２１４と残部との境界）よりも、多少下方（下側台形シート部内）の辺である。従って、図４（ｂ）に示すように、下側台形シート部２１４を折り畳んだ後の谷折り目２１５の近傍には、台形形状の一部が残存する。
【００４９】
開口２１２の近くまで折り返された下側台形シート部２１４の上辺（端縁側の辺）２１６は、環状体２１３の残部と縫い付けられて固定される。折り返された下側台形シート部２１４の上辺２１６の長さは、本体部の横方向の長さよりも小さい。従って、図６（ａ）に示すように、下側台形シート部２１４の底辺の両角２１４ａ、２１４ｂは、比較的拘束されていないので、袋状に容易に撓ませることができる。結果、装着時に、開口２１２を上下方向に拡げつつ、両角２１４ａ、２１４ｂを立体的にすることで、本体部側を、装着者の頬又は顎の周囲の形状に沿わせることができる。なお、図４（ｂ）に示すように、上辺２１６は、全体を固定するのではなく、中央付近部分２１６ａ（中央の所定距離Ｌ１）のみを固定し、両端部分２１６ｂ、２１６ｃ（上辺２１６の両端から所定距離Ｌ２分）は固定しないことが更に好ましい。より一層、下側台形シート部２１４の両角２１４ａ、２１４ｂを撓ませる範囲を拡張することができるからである。
【００５０】
なお、上側台形シート部２１７を、表面側且つ下側に折り畳む際は、図４（ｂ）に示すように、更に、上側台形シート部２１７の端側をもう一度折り返すことが好ましい。装着されるマスクの表面を覆いすぎないようにするためである。
【００５１】
また、以上のようにして形成されるマスク補助部材２の外縁２１９は、帯状シート２００の中心線２０３に相当する部分が構成する。このため、中心線２０３に向かって折り畳まれた帯状シート２００の縁２０１ａ、２０１ｂは、帯状シート２００に内包された状態でマスク補助部材２の外縁２１９に配置される。また、マスク補助部材２の辺２１８には、帯状シート２００の縁２０１ｃ、２０１ｄが配置される。上側台形シート部２１７を図４（ｂ）に示すように折り畳むと、帯状シート２００の縁２０１ｃ、２０１ｄは、帯状シート２００に内包された状態でマスク補助部材２の外縁２１９の上辺２１９ａの左端部付近に配置される。
【００５２】
このように、図３を用いて上記説明した態様でマスク補助部材２を作ると、開口２１２から一番遠いマスク補助部材２の外縁２１９に帯状シート２００の縁全体が内包された状態で配置される。そして、マスク補助部材２を装着した場合、装着者の口鼻等が開口２１２にくる。したがって、マスク補助部材２の外縁２１９に帯状シート２００の縁全体が内包された状態で配置されることは、帯状シート２００がガーゼ等の繊維である場合、縁にほつれがでやすい帯状シート２００の縁が装着者の口鼻から遠い位置になるため、装着者が快適にマスク補助部材２を装着する上で好ましい。
【００５３】
なお、上記製造方法によって得されるマスク補助部材２の形状、機能等については、図１で示したマスク補助部材１の説明がそのまま適用可能である。
【００５４】
＜マスク補助部材３＞
図５は、本発明の別の実施の形態におけるマスク補助部材３の製造工程を示す図である。マスク補助部材３は、マスク補助部材１と構造は同様であるが、１枚のシートから作り上げたものである。以下においてマスク補助部材３の一例を示す図である。図５においてマスク補助部材３は、１枚の帯状シート３００により形成される。
【００５５】
まず、図５（ａ）に示すように、縁３０１、３０２が長手方向の中心線３０３と一致するよう、帯状シート３００の中心線３０３と平行な長手方向の折り目３０４、３０５に沿って、中心線３０３へ向かって帯状シート３００を折り畳む。上記のように帯状シート３００を折り畳むと、帯状シート３００は、図５（ｂ）に示すような態様の１段折りの第一帯状前駆体３０６になる。このようにすれば、帯状シート３００の端を内側に内包させて隠すことができるため、帯状シート３００がガーゼ等の縁にほつれがでやすい繊維である場合、好ましい。そして、中心線３０３に沿って第一帯状前駆体３０６を更に折り畳むと、第一帯状前駆体３０６は、図５（ｃ）に示すような態様の２段折りの第二前駆体３０７になる。
【００５６】
図５（ｃ）に示すように、所定の場所３０８で第二前駆体３０７を直角方向へ折り畳む。例えば、図５（ｄ）に示すように、少なくとも所定の場所３箇所（好ましくは４箇所）で直角に折り畳めば、中央部に開口３０９を備えた８角形状の環状体３１０が得られる。図４で示したマスク補助部材２の手順を、この環状体３１０にも同様に適用すれば、マスク補助部材３が形成される。その手順の説明については上記で説明済みであるため、ここではその説明を省略する。なお、１枚のシートを折り畳んで作り上げたマスク補助部材として、１枚の帯状シートで作ったマスク補助部材２、マスク補助部材３を上記説明したが、１枚のシートを折り畳んで作り上げたマスク補助部材の態様がこれに限定されるものではない。１枚のシートを折り畳んで作り上げたその他のマスク補助部材も本発明は含む。
【００５７】
図６には、マスク補助部材２を取り付けたマスク９００を人９２０が装着した様子を示す。説明の便宜上マスク９００を省略した図６（ａ）に示すように、マスク補助部材２を人９２０に取り付けると、開口２１２が人９２０の口及び鼻の部分に配置される。この開口２１２を上下方向に拡張させると、マスク補助部材２は、開口２１２が表面側に凸となるような立体形状となる。結果、本体部が顔に密着する。図６（ｂ）は、マスク９００を省略せずに、マスク補助部材２とマスク９００がセットになったマスクセットの状態を示す。
【００５８】
従来のように、人９２０がマスク９００を直接装着すると、マスク９００全体が肌に接触する。一方、マスク補助部材２を取り付けたマスク９００（マスクセット）を、人９２０が装着すると、開口２１２の部分以外は、直接肌に接触しないため、肌荒れの要因を低減させることができる。
【００５９】
また、マスク９００とマスク補助部材２は、互いの上縁側が固定機構によって固定されている。一方、マスク９００とマスク補助部材２の下縁側は、相対移動自在となっている。結果、装着者は、マスク９００の下縁のみを、手で下側に引っ張ってプリーツを拡張させたり、マスク補助部材２の下縁のみを下方向に引っ張って、開口２１２の形状を口に合わせたりすることができる。仮にマスク９００とマスク補助部材２の上下縁の双方を固定機構で固定してしまうと、互いの動きが規制されすぎてしまい、使用感が低下しやすい。
【００６０】
また、このマスクセットによれば、図６（ｂ）に示すように、開口２１２において、人９２０とマスク９００との間にマスク補助部材２が介在して、その厚み分又は立体形状分の空間が確保されるため、マスク９００が人９２０の口に接触し難い。結果、さらに肌荒れの要因を低減させることができる。また、図６（ｂ）に示すように、マスク９００とマスク補助部材２の間に空間が形成されるため、マスク９００の表面積全体を利用して、呼吸を行うことができる。結果、マスク９００が局部的に不衛生となる状況を抑制でき、呼吸も容易になる。
【００６１】
また、マスク９００には、プリーツが設けられており、そのプリーツを伸ばすと、マスク９００の表面積を更に拡大させることができると伴に、マスク９００を立体的に形成させることができる。そのようにしてマスク９００を立体的に形成させて表面積を拡大させれば、図６（ｂ）に示すように、マスク９００とマスク補助部材２との間に面積差に起因する空間（隙間）２２０を生じさせることができる。すなわち、マスク９００の中央部近傍が、反装着者側に凸となることで、マスク９００とマスク補助部材２の開口部２１２の間に、空間（隙間）２２０が形成される。この空間（隙間）２２０は、フィルタ能力の向上と同時に、人９２０に呼吸させ易くする。
【００６２】
なお、上記図６を用いたマスク補助部材２の説明は、そのままマスク補助部材１、３にも適用できる。
【００６３】
＜マスク補助部材４＞
図７は、本発明の別の実施の形態におけるマスク補助部材４を示す図である。図７（ａ）は、本発明の別の実施の形態におけるマスク補助部材４を示す図である。図７（ｂ）は、本発明の別の実施の形態におけるマスク補助部材４の上からマスク９００を装着した様子を示す図である。
【００６４】
マスク補助部材４は、マスク補助部材１と形状は類似しているが、マスク９００の固定態様が異なる。図７（ａ）に示すように、マスク補助部材４は、平型マスクの鼻から口に渡る呼吸領域を切り取って開口４１２を設けた構造をしている。平型マスクとは、マスク本体表面にプリーツ等の特別な構造が設けられていないマスク本体表面が平面であるマスクを指す。この点が、マスク補助部材４がマスク補助部材１と構造的に類似している点である。
【００６５】
また、マスク補助部材４は、マスク補助部材１とは異なり、耳掛け部４１３により人９２０に固定される構造となっている。すなわち、マスク補助部材４は、本体部４１０に耳掛け部４１３を設けた構造をしている。
【００６６】
マスク補助部材４にマスク９００を固定する態様は、様々な態様が挙げられる。例えば、図７（ｂ）に示すように、耳掛け部４１３付きのマスク補助部材４を装着した後に、耳掛け付きのマスク９００を装着すれば、マスク補助部材４にマスク９００を固定した態様になる。さらに加えて、マスク補助部材４とマスク９００とを重なる部分の縁を糊付けにより接着して取り付ける態様であってもよい。
【００６７】
なお、図７においてマスク補助部材４には、外側拡がり部が設けられていないが、これは一例であって、マスク補助部材４に外側拡がり部を設けてもよい。
【００６８】
マスク補助部材４は、マスク補助部材１とはマスク９００の固定態様が異なるのみでその他の部分については同様であるため、得られる効果も同様であり、それについては既に説明済みであるため、省略する。
【００６９】
＜マスク補助部材５＞
図８は、本発明の別の実施の形態におけるマスク補助部材５を示す図である。図８（ａ）は、マスク９００におけるプリーツ９３１〜９３３を伸ばした状態を示す図である。図８（ｂ）は、マスク９００におけるプリーツ９３１〜９３３を折り畳んだ状態を示す図である。マスク９００には、プリーツが３段設けられている。図８（ａ）及び図８（ｂ）においてマスク９００の耳掛け部分は、省略してある。
【００７０】
図８（ｃ）は、マスク補助部材５におけるプリーツ５１及び５２を伸ばした状態を示す図である。図８（ｄ）は、マスク補助部材５におけるプリーツ５１及び５２を折り畳んだ状態を示す図である。マスク補助部材５には、プリーツが２段設けられている。
【００７１】
また、マスク補助部材５は、図８（ｃ）及び図８（ｄ）に示すように、左右２つの部分に分かれている。すなわち、マスク補助部材５は、右側部材５３と左側部材５４とにより構成される。右側部材５３と左側部材５４とは、所定距離離れている。そして、その中央の離れた部分が、マスク補助部材５における開口５５に相当する。
【００７２】
図８（ｅ）は、マスク９００をマスク補助部材５に取り付けた態様を、裏面側から視た状態を示す図である。マスク補助部材５における右側部材５３は、マスク９００の裏面の右側に取り付ける。マスク９００を右側部材５３に取り付ける際、両者の縁同士を接着する等して固定する。ただし、マスク９００の中央に近い領域に配置されるマスク９００の高さ方向に伸びる辺５６は、固定しない。
【００７３】
マスク補助部材５における左側部材５４は、マスク９００の裏面の左側に取り付ける。マスク９００を左側部材５４に取り付ける際、両者の縁同士を接着する等して固定する。ただし、左側部材５４においてもマスク９００の中央に近い領域に配置されるマスク９００の高さ方向に伸びる辺５７は、固定しない。
【００７４】
なお、図８（ｂ）と図８（ｄ）に示すように、マスク９００において３段分のプリーツを折り畳んだ状態のマスク９００の高さ方向の長さと、マスク補助部材５において２段分のプリーツを折り畳んだ状態のマスク９００の高さ方向の長さとを略同じ長さとしておくと、右側部材５３及び左側部材５４とマスク９００とを容易に接着等して固定することができる。そして、マスク補助部材５と比較して、マスク９００側の方が、プリーツの折り込み量が大きいことから、マスク９００のプリーツを拡張させると、マスク９００とマスク補助部材５の開口５５を離すことができる。
【００７５】
右側部材５３及び左側部材５４とマスク９００との固定態様は上記の態様に限定されるものではない。右側部材５３及び左側部材５４とマスク９００との固定態様は、右側部材５３及び左側部材５４とマスク９００との外縁部分を１対のボタン部材やマジックテープ（登録商標）等の取り外し可能な係合部材で固定する態様、その他の公知の全ての取り外し可能な外縁同士の固定態様であってもよい。また、右側部材５３及び左側部材５４とマスク９００との固定態様は、例えば、上側拡がり片１５Ａと類似する態様の側方拡がり片や下側拡がり片を設けて、それらのうちの全部又は一部と本体部に相当する部分とでマスク９００を挟み込んで固定する態様であってもよい。
【００７６】
このような態様で両者を接着すると、マスク補助部材５の中央が開口した状態でマスク９００をマスク補助部材５に取り付けることができる。
【００７７】
ただ、固定された状態の右側部材５３とマスク９００との重なる部分とは、それぞれに設けられたプリーツを伸ばした場合、それぞれが重なる部分の面積が異なる。すなわち、それぞれが重なる部分の面積は、マスク９００の右側部分の面積の方がマスク補助部材５における右側部材５３の面よりも大きい。したがって、マスク９００とマスク補助部材５との間には、その面積差に起因した空間が生じる。このことは、マスク補助部材５における左側部材５４とマスク９００の重なる部分でも同様である。この空間は、マスク装着者に呼吸させ易くする。
【００７８】
図９は、マスク補助部材５を取り付けたマスク９００を人９２０が装着する様子を示す図である。図９（ａ）は、説明の便宜上、マスク９００を省略し、マスク補助部材５のみを人９２０が装着した様子を示す図である。図９（ｂ）は、マスク補助部材５を取り付けたマスク９００を人９２０が装着した様子を示す図である。
【００７９】
図９（ａ）に示すように、マスク補助部材５を人９２０が装着した場合、マスク補助部材５は人９２０の頬部分を覆う。マスク補助部材５を人９２０の顔の形状に密着するようにすることが想定される。このようにした場合、マスク補助部材５が覆う部分からは、人９２０の息が漏れないし、外部から菌等が入ることも防げる。
【００８０】
マスク９００のみを人９２０が装着した場合、マスク９００の外縁全部から息が漏れたり、菌等が入ったりする。マスク９００にマスク補助部材５を取り付けると、人９２０がマスク補助部材５を装着している部分は、上記説明したように密着しているため、人９２０の息が漏れないし、外部から菌等が入ることも防げる。したがって、マスク補助部材５に覆われていない開口５５の縁に囲まれた部分からのみ息が漏れたり、菌等が入ったりする。これにより、外部から菌等が入る領域を低減させることができる。
【００８１】
マスク９００には、プリーツが設けられているため、プリーツを伸ばすと、マスク９００の表面積をさらに拡大させることができると伴に、マスク９００を立体的に形成させることができる。そのようにしてマスク９００を立体的に形成させて表面積を拡大させれば、マスク９００とマスク補助部材５との間に面積差に起因する空間５８を生じさせることができる。すなわち、マスク９００の中央部近傍が、反装着者側に凸となることで、マスク９００とマスク補助部材５の開口部５５の間に、空間（隙間）５８が形成される。この空間（隙間）５８は、フィルタ能力の向上と同時に、人９２０に呼吸させ易くする。
【００８２】
さらに、マスク補助部材５にもプリーツが設けられているため、マスク９００のプリーツとマスク補助部材５のプリーツの伸ばし具合を調整することにより、空間５８の広さを調整することができる。このため、人に応じて空間５８の広さをきめ細かに調整することができる。
【００８３】
なお、上記実施形態のマスク補助部材では、本体部又はその開口部近傍が平面構造となる場合を例示したが、本発明はこれに限定されない。例えば、マスク補助部材１の変形例となる図１０に示すように、開口１１の周囲を、表面側に向かって、つまみ出すように突出させてから、縫い合わせたり接着したりすることで、突起部１１Ａを形成することも好ましい。突起部１１Ａによって、マスク９００とマスク補助部材（特に開口１１の近傍）に隙間を強制的に確保することが可能となる。
【００８４】
尚、本発明のマスク補助部材は、上記した実施の形態に限定されるものではなく、本発明の要旨を逸脱しない範囲内において種々変更を加え得ることは勿論である。
【符号の説明】
【００８５】
１、２、３、４、５  マスク補助部材
１０、４１０  本体部
１１、５５、２１２、３０９、４１２  開口
１２  固定機構
１３  外側拡がり部
１４  横側拡がり片
１５Ａ  上側拡がり片
１５Ｂ  下側拡がり片
１６  上側縁
１７、１８  ボタン部材
５１、５２，９３１、９３２，９３３  プリーツ
５３  右側部材
５４  左側部材
２００、３００  帯状シート
２０６、３０６  第一帯状前駆体
２２０、３０７  第二前駆体
２１３、３１０  環状体
２１４  下側台形シート部
２１７  上側台形シート部
４１３  耳掛け部
９００  マスク
９０１  裏面
９０２  外縁
【図１】
2017089067.tif 000003
【図２】
2017089067.tif 000004
【図３】
2017089067.tif 000005
【図４】
2017089067.tif 000006
【図５】
2017089067.tif 000007
【図６】
2017089067.tif 000008
【図７】
2017089067.tif 000009
【図８】
2017089067.tif 000010
【図９】
2017089067.tif 000011
【図１０】
2017089067.tif 000012